(57)【要約】      （修正有）【課題】折板等の縦葺き屋根に太陽電池パネル等の屋根上設置物を取り付ける際に、取り付け金具が傾いて取り付けられたとしても、屋根上設置物を安定して取り付けることができる金具及び取り付け構造を提供する。【解決手段】屋根材に形成された突条に配置され、突条を挟持する挟持部１３・２３を形成した左右アーム１・２を有する挟持体ａと、挟持体ａの挟持部１３・２３同士を近接させる締め付け手段ｔと、挟持部１３・２３同士を開閉自在に軸支する回動軸ｊと、回動軸ｊに軸支され、屋根上設置物を載置する載置部ｂ１が形成された載置体ｂとから成る屋根上設置物用取り付け金具Ａを用いる。【選択図】図１
2010024779.tif 000002
【特許請求の範囲】
【請求項１】
縦葺き屋根に取り付けられる屋根上設置物用取り付け金具であって、
屋根材に形成された突条に配置され、突条を挟持する挟持部を形成した左右アームを有する挟持体と、
該挟持体の挟持部同士を近接させる締め付け手段と、
前記挟持部同士を開閉自在に軸支する回動軸と、
該回動軸に軸支され、屋根上設置物を載置する載置部が形成された載置体とから成ることを特徴とする屋根上設置物用取り付け金具。
【請求項２】
前記回動軸に対して前記載置体を遊貫状態で軸支することにより、
前記回動軸周りの回転方向要素以外の方向要素をも採用可能な前記載置体としたことを特徴とする請求項１記載の屋根上設置物用取り付け金具。
【請求項３】
前記挟持体に対する前記載置体の姿勢を維持することができる状態に、
前記回動軸に対して前記載置体を固定可能としたことを特徴とする請求項１または２記載の屋根上設置物用取り付け金具。
【請求項４】
縦葺き屋根に取り付けられる屋根上設置物用取り付け金具であって、
屋根材に形成された突条に配置され、突条を挟持する挟持部を形成した左右アームを有する挟持体と、
該挟持体の挟持部同士を近接させる締め付け手段と、
前記挟持部同士を開閉自在に軸支する回動軸と、
該回動軸に軸支され、屋根上設置物を載置する載置部が形成された載置体とから成る屋根上設置物用取り付け金具を構成し、
屋根材の突条の両側に挟持体を配し、
一対の挟持部を締め付け手段にて近接させて屋根材の突条に取り付け金具を取り付け、
載置部に屋根上設置物を取り付けることを特徴とする屋根上設置物の取り付け構造。
【請求項５】
前記回動軸に対して前記載置体を遊貫状態で軸支することにより、
前記回動軸周りの回転方向要素以外の方向要素をも採用可能な前記載置体としたことを特徴とする請求項４記載の屋根上設置物の取り付け構造。
【請求項６】
前記挟持体に対する前記載置体の姿勢を維持することができる状態に、
前記回動軸に対して前記載置体を固定可能としたことを特徴とする請求項４または５記載の屋根上設置物の取り付け構造。
【発明の詳細な説明】
【技術分野】
【０００１】
本発明は、縦葺き屋根に、太陽電池パネルや緑化パネル等の屋根上設置物を取り付けるための取り付け金具及び、その金具を用いた屋根上設置物の取り付け構造に関するものである。
【背景技術】
【０００２】
近年、環境問題に配慮し、屋根上に太陽電池パネルや緑化パネル等の屋根上設置物を取り付けることも多くなっている。その場合、屋根材に対して屋根上設置物を安定して取り付けることが望まれている。
縦葺き屋根への屋根上設置物用取り付け金具及び屋根上設置物の取り付け構造としては、特許第３３３２３２７号公報に記載された技術がある（図７（ア）（イ）参照）。
ここに示された取り付け金具Ａは、図７（ア）のように一対の挟持体ａ・ａと載置体ｂとから成っていて、載置体ｂの左右に形成された係止片ｂ３・ｂ３の孔に、挟持体ａ・ａに形成されたフック片ａ１を係入することにより、載置体ｂに挟持体ａ・ａを揺動自在に保持して成ることを特徴としている。
【０００３】
また、特開２００６−３２２３０５（図８参照）には、「受部側を所定の範囲で変位させその変位状態で上部構造物を支持させる変位支持機構を有することを特徴とする基盤体上の構造物の支持装置」が開示されている。
【発明の開示】
【発明が解決しようとする課題】
【０００４】
これまで述べた従来技術には、寸法誤差や施工誤差等の変位に対応させ、屋根上設置物を安定して取り付ける技術が開示されているが、次のような問題点があった。
まず、特許第３３３２３２７号の取り付け金具Ａは、締め付け手段ｔで屋根材９に挟持体ａ・ａが締め付けられ、屋根上設置物７が載置体ｂに載せられたとき、載置体ｂは、挟持体ａと一体となった動きをする。つまり、屋根材９の成形状態や施工状態が悪くて、挟持体ａ・ａが傾いて取り付けられたとき、載置体ｂも挟持体ａ・ａ同様に傾いてしまい、載置部ｂ１を水平に保つことはできなかった。
このことにより、屋根上設置物７を桁行き方向に隣り合う複数の取り付け金具Ａに掛け渡して載せた場合、屋根上設置物７が載置部ｂ１に対して安定して載置することができず、屋根上設置物７を固定手段Ｂで固定しようとするときに無理な応力がかかり、安定した取り付けができなかった。取り付け金具Ａが傾いて取り付けられたときには、その上の屋根上設置物７を平らにして固定しようとしてボルトが折れる可能性もあった。
【０００５】
特開２００６−３２２３０５の取り付け金具Ａは、図８に示した通り、自在支柱体ｃが変位支持機構を有することを特徴としている。この出願は、軒棟方向の変位に対応することを目的としている。屋根材９の成形不良や施工不良による桁行き方向への変位に対応することは開示されていないが、この技術を桁行き方向への変位に対応するものとして比較してみる。
この取り付け金具Ａは、高さ方向にも変位可能にするために、自在支柱体ｃが、ある程度の高さを有しており、自在支柱体ｃを変位させるための回動軸が多くて不安定であり、引いては強度にも不安があった。
また、変位を調整するために、自在支柱体ｃのいくつもの回動軸を調整する必要があり、しかもすべての取り付け金具Ａに及ぶので、屋根上設置物７を取り付けるまでに時間も手間もかかった。
さらに、載置体ｂに屋根上設置物７を載せたときに、回動軸を介して、屋根上設置物７の傾きを追従させることはできるが、連結板ｃ１と受け部金具ｃ２とは係止可能な構造にはなっていない。このため、連結板ｃ１に対して受け部金具ｃ２が必要以上に回動してしまい、水平状態を保持して安定して載せることができなかった。さらに、追従させることができるとはいえ、そのあとで、連結板ｃ１と受け部金具ｃ２との回動軸の動きを阻止するために、ボルトをナットで締め付ける作業はたいへん手間のかかるものであった。
【０００６】
これまで述べた通り、上記の２件の従来技術は、いずれも、縦葺き屋根の成形不良や施工不良によって、屋根上設置物用取り付け金具が傾いて取り付けられた場合に、簡単な作業で、強度を保って、屋根上設置物を平坦な状態で保持できるものではなかった。
本願はこのような問題を解消しようとするものであり、折板等の縦葺き屋根に太陽電池パネル等の屋根上設置物を取り付ける際に、取り付け金具が傾いて取り付けられたとしても、屋根上設置物を安定した状態に保つことができ、しかも簡単で、強度も十分な取り付け金具及び取り付け構造を提供することを目的とする。
【特許文献１】特許第３３３２３２７号公報
【特許文献２】特開２００６−３２２３０５号公報
【課題を解決するための手段】
【０００７】
請求項１に記載した屋根上設置物用取り付け金具は、縦葺き屋根に取り付けられる屋根上設置物用取り付け金具であって、屋根材に形成された突条に配置され、突条を挟持する挟持部を形成した左右アームを有する挟持体と、その挟持体の挟持部同士を近接させる締め付け手段と、前記挟持部同士を開閉自在に軸支する回動軸と、その回動軸に軸支され、屋根上設置物を載置する載置部が形成された載置体とから成ることを特徴とするものである。
回動軸によって載置体が軸支されることで、載置体が挟持体に対して回動軸周りの回転方向要素を有する姿勢を採用可能となっていることを特徴としている。
【０００８】
請求項２に記載した屋根上設置物用取り付け金具は、請求項１に加えて、前記回動軸に対して前記載置体を遊貫状態で軸支することにより、前記回動軸周りの回転方向要素以外の方向要素をも採用可能な前記載置体としたことを特徴とするものである。
回動軸周りの回転方向要素からなる姿勢に加えて、前記回動軸周りの回転方向要素以外の方向要素を有する姿勢を採用可能としたことを特徴としている。
請求項３に記載した屋根上設置物用取り付け金具は、前記挟持体に対する前記載置体の姿勢を維持することができる状態に、前記回動軸に対して前記載置体を固定可能としたことを特徴とするものである。
回動軸を介して挟持体と載置体を固定して、挟持体に対する載置体の姿勢を維持することができるようにしたことを特徴としている。
【０００９】
請求項４に記載した屋根上設置物の取り付け構造は、縦葺き屋根に取り付けられる屋根上設置物用取り付け金具であって、屋根材に形成された突条に配置され、突条を挟持する挟持部を形成した左右アームを有する挟持体と、該挟持体の挟持部同士を近接させる締め付け手段と、前記挟持部同士を開閉自在に軸支する回動軸と、該回動軸に軸支され、屋根上設置物を載置する載置部が形成された載置体とから成る屋根上設置物用取り付け金具を構成し、屋根材の突条の両側に挟持体を配し、一対の挟持部を締め付け手段にて近接させて屋根材の突条に取り付け金具を取り付け、載置部に屋根上設置物を取り付けることを特徴とするものである。
請求項５に記載した屋根上設置物の取り付け構造は、前記回動軸に対して前記載置体を遊貫状態で軸支することにより、前記回動軸周りの回転方向要素以外の方向要素をも採用可能な前記載置体としたことを特徴とするものである。
請求項６に記載した屋根上設置物の取り付け構造は、請求項４または請求項５記載の屋根上設置物の取り付け構造において、前記挟持体に対する前記載置体の姿勢を維持することができる状態に、前記回動軸に対して前記載置体を固定可能としたことを特徴とするものである。
【発明の効果】
【００１０】
本願の屋根上設置物用取り付け金具及び取り付け構造によれば、縦葺き屋根に取り付けられた金具が傾いていたとしても、その上に取り付けられる屋根上設置物を、簡単な仕組みによって安定した状態に保持することができ、強度も得られる。
請求項１に記載した屋根上設置物用取り付け金具は、回動軸によって載置体が軸支されることで、載置体が挟持体に対して回動軸周りの回転方向要素を有する姿勢を採用可能となっているため、締め付け手段によって左右の挟持体を近接させて取り付け金具を取り付け、載置部に屋根上設置物を載せたときに、単に屋根上設置物を載せることで傾きが修正されて平坦な状態を保持することができる。
また、取り付け金具は、挟持体の近接によって締め付けられ、屋根上設置物は載置部に対して安定して取り付けられるので、強度も十分得られる。
載置体は、回動軸によって挟持体に軸支されているので、左右方向に傾動可能な姿勢が簡単な仕組みで得られる。
そして、回動軸によって挟持体と載置体とが連結されているので、左右のアームの挟持部を開くことで屋根材の突条に組み合わせやすく、閉じることで取り付けやすい。開閉自在に軸支できるのに加え、載置体が挟持体に対して回動軸周りの回転方向要素を有する姿勢を採用可能とする機能が同時に得られる。
【００１１】
請求項２に記載した屋根上設置物用取り付け金具は、  回動軸周りの回転方向要素からなる姿勢に加えて、前記回動軸周りの回転方向要素以外の方向要素を有する姿勢を採用可能としたことを特徴としているため、請求項１の機能に加えて、載置体は、回動軸周りの回転方向以外の方向にも姿勢を変えることができる。
請求項３に記載した屋根上設置物用取り付け金具は、前記挟持体に対する前記載置体の姿勢を維持することができる状態に、前記回動軸に対して前記載置体を固定可能としたことを特徴とするものであり、回動軸を介して挟持体と載置体を固定して、挟持体に対する載置体の姿勢を維持することができるようにしたものである。このため、挟持体に対して載置体をいっそう強固に固定することができ、従って、屋根上設置物の取り付けもいっそう強固にすることができる。
【００１２】
請求項４は、請求項１に記載の屋根上設置物用取り付け金具を用いた屋根上設置物の取り付け構造に関するものであり、請求項１と同様の効果を奏することができる。
請求項５は、請求項２に記載の屋根上設置物用取り付け金具を用いた屋根上設置物の取り付け構造に関するものであり、請求項２と同様の効果を奏することができる。
請求項６は、請求項２に記載の屋根上設置物用取り付け金具を用いた屋根上設置物の取り付け構造に関するものであり、請求項３と同様の効果を奏することができる。
【実施例】
【００１３】
図１は屋根上設置物用取り付け金具Ａの斜視図、図２は断面図、図３は施工状態の一部破断した正面図、図４と図５は施工状態概略図であり、取り付け金具が傾いて取り付けられている状態を示している。
図３及び図４に示すように、屋根材９は金属板を曲げ加工したものであり、軒棟方向に長尺に形成され、軒棟方向とは直交する方向の側端縁には突条としての馳部９３・９３が形成されている。各馳部９３・９３は、それぞれ山部９１から立ち上げて形成されていて、山部９１において、馳部９３が形成されていない側が折り下げられて傾斜面となっており、傾斜面は谷部９２へと連なって屋根材９を成している。
【００１４】
図３のように折板と称される屋根材９は、通常、梁に対して所定間隔で取り付けられたタイトフレーム６に固定されている。図３の屋根材９は、隣り合う屋根材９・９の馳部９３を締め付けて接続させている。
しかし、本願の取り付け金具及び取り付け構造が適用される縦葺き屋根は、折板に限定されず、取り付け方法もさまざまな実施の形態がある。
【００１５】
まず、図１により、取り付け金具Ａの実施例について説明する。図１は、図３に示した屋根材に取り付けられる取り付け金具１の実施例であり、この取り付け金具Ａは、挟持体ａと載置体ｂとが、軒棟方向となる方向に貫通された回動軸ｊによって、傾動可能に連結されている。
本実施例の挟持体ａは、断面略コ字状の左アーム１と右アーム２とが、それぞれの開口部を内側方向に向けて組み合わせられている。左アーム１と右アーム２は、上面１１・２１と、上面１１・２１の一側端縁が折り下げられた側面１２・２２と、側面１２・２２から内側方向に折り曲げられた挟持部１３・２３とを有している。
本実施例では、挟持部１３・２３を馳締めした接続箇所に近接させる締め付け手段ｔとして、ボルトｔ１とナットｔ２を用いているため、側面１２・２２には、ボルトを貫通させるための穴があけられている。
また、側面１２・２２の軒棟側は、上位が略直角に内側方向へ折り曲げられて重なり面１４・２４となっている。そして、左アーム１の棟側の重なり面１４と右アーム２の棟側の重なり面２４とが重ねられていて、左アーム１の軒側の重なり面１４と右アーム２の軒側の重なり面２４とが重ねられている。それぞれの重なり面１４・２４の重なり箇所は、締め付け手段ｔであるボルトｔ１よりも上位となっている。
【００１６】
本実施例の載置体ｂは、太陽電池パネル等の屋根上設置物７を載せることができる載置部ｂ１を有している。そして、本実施例の場合には、載置部ｂ１の軒棟側が略直角に折り下げられて、挟持体ａの重なり面１４・２４と連結するための接続面ｂ２が形成されている。また、載置部ｂ１には、屋根上設置物７を取り付けるための固定手段Ｂが取り付けられている。
このような挟持体ａと載置体ｂは、次のように連結されている。まず、挟持体ａの上面１１・２１同士は間隔をあけて組み合わせられており、その上に載置体ｂがかぶせられて組み合わせられている。
【００１７】
このとき、載置体ｂのそれぞれの接続面ｂ２・ｂ２は、挟持体ａの重なり面１４・２４同士の重なり箇所よりも外側に位置している。さらに、挟持体ａの重なり面１４・２４同士の重なり箇所と、載置体ｂの接続面ｂ２の重なり箇所とを貫通して、軒棟方向にボルトが貫通しており、このボルトを回動軸ｊとして、挟持体ａと載置体ｂとは傾動可能に連結されている。挟持体ａの上面１２・２２と載置体ｂの載置部ｂ１との間には間隔があるので、回動軸ｊを中心として載置体ｂを傾動させることができる。
回動軸ｊは、軒側の重なり面１４・２４と接続面ｂ２との重なり箇所で１つ、棟側の重なり面１４・２４と接続面ｂ２との重なり箇所で１つとなってもよい。
また、載置体ｂと挟持体ａとは、回動軸ｊにより、左右アーム１・２が一体となって傾動可能に連結されているのでバラバラにならずに済み、在庫管理がしやすい。しかも、各挟持部１３・２３を開くことで、馳部９３・９３に簡単に組み合わせることができる。つまり、回動軸ｊは、載置体ｂを傾動可能にするだけでなく、挟持部１３・２３の開閉の軸を兼ねている。これにより、取り付けが簡単なだけでなく、部品点数を減らすこともできる。
そして、挟持体ａが屋根材９の馳部９３・９３に、締め付け手段ｔによって近接されて取り付けられたとき、回動軸ｊを中心として、載置体ｂを傾けることができる。つまり、回動軸ｊを介して傾動させることができるため、載置部ｂ１の左右の一側を下げたり上げたりすることができる。
さらに、たとえば、回動軸ｊの回動を阻止するようにし、回動軸ｊに対して載置体ｂを固定可能にしておくことで、いっそう強固で安定した取り付けができる。
【００１８】
続いて、図３により、取り付け金具Ａの取り付け方法について説明する。まず、挟持体ａの挟持部１３・２３が馳部９３・９３を挟持するように締め付けて、取り付け金具Ａを固定する。次に、隣り合う取り付け金具Ａ・Ａの載置部ｂ１・ｂ１に屋根上設置物７を載せる。そして、たとえば押さえ金具８をはめて、載置部ｂ１から突出している固定手段Ｂによって屋根上設置物７を取り付け金具Ａに固定する。
このとき、載置部ｂ１に屋根上設置物７を載せることで、その重みによって重心が移動して載置体ｂが傾き、左右方向（桁行き方向）に隣り合う載置部ｂ１・ｂ１が傾動する。この状態で、底面が平らな屋根上設置物７が取り付け金具Ａに取り付けられた場合には、載置部ｂ１と屋根上設置物７の底面とが面接触されて安定して取り付けられる。
【００１９】
図４や図５のように、挟持体ａが傾いて取り付けられ、その上面１１・２１が傾いていたとしても、回動軸ｊによって載置体ｂが組み合わせられていて、傾動させることができるので、載置部ｂ１に屋根上設置物を載せたとしても、平坦でほぼ水平な状態を保つことができる。
図４（ア）の場合には、屋根材９の山部９１・９１がずれていて、右アーム２の上面２１が左アーム１の上面１１よりも高く傾いて取り付け金具Ａが取り付けられいる。（イ）の場合には、逆に、左アーム１の上面１１の方が高くなって傾いて取り付けられている。
どちらの場合でも、回動軸ｊを介して載置体ｂが傾動することができるので、桁行き方向に隣り合う取り付け金具Ａ・Ａの載置部ｂ１・ｂ１に屋根上設置物７を載せたときに、その底面に添って載置部ｂ１・ｂ１が接触し、桁行き方向に隣り合う載置部ｂ１・ｂ１は略同一面となる。
桁行き方向に隣り合う取り付け金具Ａ・Ａ同士が、別の方向に傾いていたとしても、載置体ｂは、挟持体ａと同じ方向に傾くことはないので、屋根上設置物７は略同一面上の載置部ｂ１上に安定して載せられる。
また、挟持体ａの上面１１・２１が図５（ア）のようにハ字状になっても、あるいは、反対に（イ）のように逆ハ字状になったとしても、載置体ｂは挟持体ａと別体になっていて、回動軸ｊを介して傾動させることができるため、同様に、安定して屋根上設置物７を載せることができる。
このように、回動軸ｊを介して、載置体ｂが傾動可能に挟持体ａと組み合わせられているので、屋根上設置物７は平坦な状態で取り付けられる。このため、屋根上設置物７が傾いて取り付けられて無理な応力がかかることがなくなり、変形したり、ひずみによって水がたまったりするのを防ぐことができる。
載置部ｂに屋根上設置物７を単に載せることで、その重みによって載置体ｂが自ずと傾動されて水平状態を保つことができるため、作業性もよい。
また、本実施例の場合には、回動軸ｊによって、挟持体ａと載置体ｂとが傾動可能に連結されていて、かつ、載置体ｂが傾動したときに挟持体ａの上面１１・２１に対して載置部ｂ１の下面が当接する。このため、挟持体ａに載置体ｂを係止することができ、載置体ｂが図８のように必要以上に傾くことがなく、従って載置部ｂ１を安定した状態で平坦にすることが簡単にできる。
【００２０】
図６（ア）（イ）（ウ）（エ）は、他の実施例を示している。（ア）に示した取り付け金具Ａの載置体ｂの接続面ｂ２・ｂ２には、縦方向に長穴があいている。このため、載置体ｂを左右方向に傾動させることができるのに加え、載置部ｂ１の高さを変えることができる。
（イ）の取り付け金具Ａは、（ア）の取り付け金具Ａの載置体ｂの接続面ｂ２・ｂ２を外側方向に湾曲させている。このため、載置体ｂを左右方向に傾動させることができるのに加え、軒側または棟側にも傾動させることができるので、載置体ｂの軒側または棟側だけを高くすることもできる。
（ウ）の取り付け金具Ａは、（イ）の取り付け金具Ａの接続面ｂ２・ｂ２の長穴を横方向にしたものである。このため、載置体ｂを左右方向に傾動させることができるのに加え、載置体ｂを左右方向に旋回させることができるので、載置体ｂの水平方向の角度調整ができる。
接続面ｂ２・ｂ２を（ウ）のように湾曲させることもできるし、（ア）のような接続面ｂ２・ｂ２にし、左右方向にスライドさせて位置調整できる形状にしてもよい。
また、接続面ｂ２・ｂ２に形成する、回動軸ｊを貫通するための穴を、回動軸ｊよりも大径にしてもよい。
これまで述べた通り、回動軸ｊに対して、載置体ｂを遊貫状態に軸支する例は、いろいろ考えられる。このように、回動軸ｊに対して載置体ｂを遊貫状態に軸支しておくことで、載置体ｂの姿勢が回動軸ｊ周りの回転方向要素以外の方向にも採用可能となる。
さらに、（エ）に示した取り付け金具Ａの載置体ｂは、中央部分がくぼんでいる。このくぼみに、太陽電池パネルやアンテナ等の配線を収納することができる。屋根上設置物の取り付けに邪魔にならないので施工がしやすい。隣り合う太陽電池パネルを押さえ金具で押さえるときにも、くぼみの両脇の載置部ｂ１に載せて固定するので取り付けが安定するし、ケーブルに支障をきたすことがなくなる。
【００２１】
これまで述べた実施例のほかに、載置体ｂを、載置部ｂ１の棟側が高くなるように形成し、屋根上設置物７を傾斜させて載置部ｂ１に載せられるようにすることもできる。この場合には、左右に隣り合う取り付け金具Ａ・Ａの載置部ｂ１・ｂ１は水平ではないが、載置体ｂが挟持体ａに傾動可能に取り付けられていることで、載置部ｂ１・ｂ１が略同一面上に位置する。従って、その上に載せられる屋根上設置物７も略同一面上に平坦な状態で載置することができ、取り付け状態が安定する。
さらに、載置体ｂを挟持体ａの内側に位置させて、接続面ｂ２と重なり面１４・２４との間隔をあけておくことで、軒棟方向に載置体ｂをスライドさせて位置調整をすることもできる。また、軒棟方向に載置体ｂをスライドさせて位置調整をするにはは、載置体ｂの長さを長くして、接続面ｂ２・ｂ２と重なり面１４・２４との間隔を広くすることでも可能である。
本願は、挟持体ａに対して載置体ｂが少なくとも左右方向に傾動することができればよい。挟持体ａに対して載置体ｂを傾動可能にする手段は、これまで述べた実施例に限定するものではない。
【図面の簡単な説明】
【００２２】
【図１】本願に係る取り付け金具Ａの一実施例を示す説明図である。
【図２】図１の取り付け金具Ａの断面図である。
【図３】本願に係る取り付け金具Ａの施工状態を示す説明図である。
【図４】取り付け金具Ａが傾いて取り付けられている状態を示す施工状態概略図である。
【図５】取り付け金具Ａが傾いて取り付けられている状態を示す施工状態概略図である。
【図６】他の実施例を示す説明図である。
【図７】従来技術の説明図である。
【図８】従来技術の説明図である。
【符号の説明】
【００２３】
Ａ      取り付け金具
ａ      挟持体
ａ１    フック片
１      左アーム
１１    上面
１２    側面
１３    挟持部
１４    重なり面
２      右アーム
２１    上面
２２    側面
２３    挟持部
２４    重なり面
ｂ      載置体
ｂ１    載置部
ｂ２    接続面
ｂ３    係止片
ｃ      自在支柱体
ｃ１    連結板
ｃ２    受け部金具
ｔ      締め付け手段
ｔ１    ボルト
ｔ２    ナット
ｊ      回動軸
６      タイトフレーム
７      屋根上設置物
８      押さえ金具
９      屋根材
９１    山部
９２    谷部
９３    馳部
Ｂ      固定手段
【図１】
2010024779.tif 000003
【図２】
2010024779.tif 000004
【図３】
2010024779.tif 000005
【図４】
2010024779.tif 000006
【図５】
2010024779.tif 000007
【図６】
2010024779.tif 000008
【図７】
2010024779.tif 000009
【図８】
2010024779.tif 000010